(57)【特許請求の範囲】
【請求項１】
無線回線の回線状態に応じてその情報通信速度が異なる複数の変調方法の１つを選択してデータ通信を行う回線状態適応型通信方法であって、
送信側装置が送信要求を行うときには、相手側となる受信側装置のアドレスを最も遅い情報通信速度の変調方式で送出するとともに前記複数の変調方式の各々を用いて所定のパターンの信号を順次送出し、
前記最も遅い情報通信速度の変調方式を受信するように待機していた受信側装置が自装置のアドレスを受信すると、続けて送られてくる前記所定のパターンを各変調方式に応じた復調方式で復調したのちその各々の誤り率を検出し、その検出した誤り率が予め定められた規定値以下の変調方式の内で最も早い情報通信速度を有する変調方式を選択し、該選択した変調方式でもってその変調方式を示す変調方式パターンを含む回線応答を前記送信側装置へ送信し、
該送信側装置は、前記回線応答を受信するとそのとき送られてきた変調方式パターンの示す変調方式で前記受信側装置へのデータ通信を行うことを特徴とする回線状態適応型通信方法。
【請求項２】
無線回線の回線状態に応じてその情報通信速度が異なる複数の変調方法の１つを選択してデータ通信を行う回線状態適応型通信方法であって、
送信側装置が送信要求を行うときには、相手側となる受信側装置のアドレスを最も遅い情報通信速度の変調方式で送出するとともに前記複数の変調方式の各々を用いて所定のパターンの信号を順次送出し、
前記最も遅い情報通信速度の変調方式を受信するように待機していた受信側装置が自装置のアドレスを受信すると、続けて送られてくる前記所定のパターンを各変調方式に応じた復調方式で復調したのちその各々の誤り率を検出し、その検出した誤り率が予め定められた規定値以下の変調方式の内で最も早い情報通信速度を有する変調方式を選択し、該選択した変調方式でもってその変調方式を示す変調方式パターンとチェックパターンを含む回線応答を前記送信側装置へ送信し、
該送信側装置は、前記回線応答を受信するとその中の前記チェックパターンについて誤り率を検出し、その検出した誤り率が所定値以下の時はそのとき送られてきた変調方式パターンの示す変調方式で、検出した誤り率が所定値を越えているときは前記変調方式パターンの示す変調方式よりも１つ遅い情報通信速度の変調方式があればその変調方式で前記受信側装置へのデータ通信を行うことを特徴とする回線状態適応型通信方法。
【請求項３】
前記データ送信完了後に誤り率訂正不可能な誤りが前記受信側装置で検出されたときには、前記受信側装置は最も遅い変調方式でもって再送要求とチェックパターンを送信側装置へ送信し、
前記データ送信完了後に最も遅い変調方式を受信するように待機していた送信側装置が前記再送要求を受信すると、前記データ通信を行ったときより１つ遅い情報通信速度の変調方式があればその変調方式でもって該当するデータの再送を行うことを特徴とする請求項１または２記載の回線状態適応型通信方法。
【請求項４】
前記複数の変調方式は同一シンボルレートを有する１６ＱＡＭ方式、ＱＰＳＫ方式、及びＢＰＳＫ方式であることを特徴とする請求項１〜３の内の１つに記載の回線状態適応型通信方法。
【発明の詳細な説明】
【０００１】
【発明の属する技術分野】
本発明は回線状態適応型通信方法に係り、特に移動機間で無線回線を用いてデータ伝送を行うのに適した回線状態適応型通信方法に関する。
【０００２】
【従来の技術】
移動機間、あるいは移動機と固定局間のデータ通信においては、一般に回線状態が大幅に変動し、また送信電力も制限されている。このために、誤り検出／訂正のための符号化を行い、訂正不能の誤りが検出されたときはそのデータの再送を行う再送方式を用いている。
図５は、従来の移動機間のデータ通信の手順例を示すもので、その個々の手順は以下の（１）〜（５）のようである。
（１）データ送信
送信側は受信局アドレス、送信局アドレス及び送信データを規定の通信速度、例えば２４００ｂｐｓにて変調し出力する。受信側は、自局アドレスを受信した場合、以降のデータを復調する。
（２）送信側にて送信データがなくなった場合、引き続き送信完了通知を規定通信速度にて出力する。
（３）再送要求
受信側は送信完了通知を認識後、受信データの誤りが存在し、受信側にて訂正不可能な場合、送信側に対し、その文字（バイト）を再送要求する（データ開始位置から何バイト目かを知らせる）。
（４）データ再送
受信側からの再送要求に応じて、送信側は再送を実施する。
（５）完了通知応答
誤りのない受信データが入力できるまで上記（３）、（４）を実施した後、送信完了通知に対する応答を受信側より規定通信速度にて出力する。
【０００３】
【発明が解決しようとする課題】
データ通信では、回線状態が良好なとき、即ち受信電界が十分高いときとそうでないときでは、使用可能な通信速度が変化する。従って、従来のように通信速度を固定すると、通信不能となる時間率が所定値以下となるようにするために、ある程度回線状態の悪いときに合わせてその通信速度を決定することになる。そうすると、回線状態が良好な時は、もっと高速伝送が可能であってもそれを十分利用できない。
また、固定された通信速度では、通信不能なまでに回線状態が悪化しているときは、データの再送が繰り返されるが、これは回線状態が回復するまでは意味のない動作となってしまうという問題があった。
【０００４】
本発明の目的は、回線状態が良好なときにはそれに見合った通信速度を用いて回線の使用効率を向上させることができ、また、再送時にも回線状態に応じた通信速度を用いて、再送動作をより有効なものにすることができる回線状態適応型通信方法を提供するにある。
【０００５】
【課題を解決するための手段】
上記の目的を達成するために、本発明は、
無線回線の回線状態に応じてその情報通信速度が異なる複数の変調方法の１つを選択してデータ通信を行う回線状態適応型通信方法であって、
送信側装置が送信要求を行うときには、相手側となる受信側装置のアドレスを最も遅い情報通信速度の変調方式で送出するとともに前記複数の変調方式の各々を用いて所定のパターンの信号を順次送出し、
前記最も遅い情報通信速度の変調方式を受信するように待機していた受信側装置が自装置のアドレスを受信すると、続けて送られてくる前記所定のパターンを各変調方式に応じた復調方式で復調したのちその各々の誤り率を検出し、その検出した誤り率が予め定められた規定値以下の変調方式の内で最も早い情報通信速度を有する変調方式を選択し、該選択した変調方式でもってその変調方式を示す変調方式パターンを含む回線応答を前記送信側装置へ送信し、
該送信側装置は、前記回線応答を受信するとそのとき送られてきた変調方式パターンの示す変調方式で前記受信側装置へのデータ通信を行うことを特徴とする回線状態適応型通信方法を提供する。
【０００６】
また、本発明は、
無線回線の回線状態に応じてその情報通信速度が異なる複数の変調方法の１つを選択してデータ通信を行う回線状態適応型通信方法であって、
送信側装置が送信要求を行うときには、相手側となる受信側装置のアドレスを最も遅い情報通信速度の変調方式で送出するとともに前記複数の変調方式の各々を用いて所定のパターンの信号を順次送出し、
前記最も遅い情報通信速度の変調方式を受信するように待機していた受信側装置が自装置のアドレスを受信すると、続けて送られてくる前記所定のパターンを各変調方式に応じた復調方式で復調したのちその各々の誤り率を検出し、その検出した誤り率が予め定められた規定値以下の変調方式の内で最も早い情報通信速度を有する変調方式を選択し、該選択した変調方式でもってその変調方式を示す変調方式パターンとチェックパターンを含む回線応答を前記送信側装置へ送信し、
該送信側装置は、前記回線応答を受信するとその中の前記チェックパターンについて誤り率を検出し、その検出した誤り率が所定値以下の時はそのとき送られてきた変調方式パターンの示す変調方式で、検出した誤り率が所定値を越えているときは前記変調方式パターンの示す変調方式よりも１つ遅い情報通信速度の変調方式があればその変調方式で前記受信側装置へのデータ通信を行うことを特徴とする回線状態適応型通信方法を提供する。
【０００７】
また、本発明は、
前記データ送信完了後に誤り率訂正不可能な誤りが前記受信側装置で検出されたときには、前記受信側装置は最も遅い変調方式でもって再送要求とチェックパターンを送信側装置へ送信し、
前記データ送信完了後に最も遅い変調方式を受信するように待機していた送信側装置が前記再送要求を受信すると、前記データ通信を行ったときより１つ遅い情報通信速度の変調方式があればその変調方式でもって該当するデータの再送を行うことを特徴とする回線状態適応型通信方法を提供する。
【０００８】
さらに、本発明は、
前記複数の変調方式が、同一シンボルレートを有する１６ＱＡＭ方式、ＱＰＳＫ方式、及びＢＰＳＫ方式であることを特徴とする回線状態適応型通信方法を提供する。
【０００９】
【発明の実施の形態】
以下、本発明の実施の形態を説明する。図１は、本発明になる回線状態適応型通信方法を具備したシステムの構成例を示すブロック図で、２つの移動機１００、２００が示されている。これら各移動機の構成は同じであるが、その一方の移動機１００を送信側、他方の移動機２００を受信側として以下では説明する。この各移動機は送信データ蓄積回路１１、２１、アドレス管理回路１２、２２、変調回路１３、２３、復調回路１４、２４、及び誤り検出回路１５、２５から成っている。
【００１０】
変調回路１３、２３と復調回路１４、２４は、複数の変調方式の変調と復調がサポート可能なものとする。ここでは図２に示したようにＢＰＳＫ、ＱＰＳＫ、及び１６ＱＡＭの３つの変調方式がサポートされているとする。これらの変調方式は、いずれもシンボルレートは同一であって、１秒に１２００シンボルが送信されるが、その変調の多値数が異なっているので、情報伝送速度（ビットレート）でみると１２００ｂｐｓ、２４００ｂｐｓ、及び４８００ｂｐｓとなる。そして、同一受信Ｃ／Ｎに対する誤り率特性は、ビットレートが大きい程大きくなることはよく知られている。
【００１１】
図３は、図１に示した回線状態適応型通信システムにおけるデータ通信の手順を示すもので、以下の（１）〜（７）の手順から成っている。
（１）送信要求出力
送信データが移動機１００に入力された場合、送信データ蓄積回路１１は１つ分の送信データを蓄積し、アドレス管理回路１２に送信を促す。アドレス管理回路１２が送信データを送りたい相手局のアドレス（受信アドレス）と自局のアドレス（送信アドレス）とを変調回路１３へ出力すると、変調回路１３は、アドレス管理回路１２からのアドレスをビットレートが一番遅い変調方式（本システムの場合ＢＰＳＫ：１２００ｂｐｓ）にて変調し出力する。また引き続き回線状態確認用として各変調方式における固定パターンを一定時間ずつ出力する。即ち１６ＱＡＭ：４８００ｂｐｓ、ＱＰＳＫ：２４００ｂｐｓ、ＢＰＳＫ：１２００ｂｐｓの順番に各変調方式に対する既知の固定パターンを出力する。
受信側の移動機２００の復調回路２４は、一番遅い変調方式で受信待機しており、変調入力があった場合それを復調し、アドレス管理回路２２へ出力する。アドレス管理回路２２は、自局に対応する受信アドレスを入力した場合、アドレス確認通知を復調回路２４へ出力し、また次に入力される送信アドレスを記憶する。復調回路２４は、それ以降の復調を各変調方式ごとに一定時間行い、その復調出力を誤り検出回路２５へ出力する。誤り検出回路２５ではエラーがシステム規定値より少なく、かつなるべく高速な変調方式を選択する。
【００１２】
（２）回線応答
受信側移動機２００の変調回路２３は、受信信号に含まれていた送信アドレスをアドレス管理回路２２から受け取り、これを受信アドレスとして、また自局のアドレスを送信アドレスとして、さらにチェックパターンを付加して送信側へ送信する。この時手順（１）で誤り検出回路２５により選択された変調方式で送信する。さらにどの変調方式で送信しているかを送受側移動機１００へ知らせるために、変調方式ごとに定めた変調方式パターンを受信アドレス及び送信アドレスに先立って送信する。
【００１３】
図４は、この変調方式パターンの例を示すための説明図で、各変調方式ごとに丸印で囲んだ符号が順次繰り返し送信される。これを受信する送信側移動機１００の復調回路１４は、まず１６ＱＡＭ方式として復調動作を行うと、ＢＰＳＫのときの“０”、“１”はそれぞれ“００００”、“１１００”と受信され、ＱＰＳＫのときの“０１”、“１０”はそれぞれ“０１００”、“１０００”と受信され、１６ＱＡＭのときの“００１０”、“０１０１”、“１１１０”、“１００１”はそのまま受信される。従ってＢＰＳＫのとは“０”、“１”を交互に、ＱＰＳＫのときは“０１”、“１０”を交互に、１６ＱＡＭのときは４つのパターンを順次送るとすると、復調回路１４で１６ＱＡＭとして復調されるパターンは次のようになる；
ＢＰＳＫ  ：００００  １１００  ００００  １１００・・・
ＱＰＳＫ  ：０１００  １０００  ０１００  １０００・・・
１６ＱＡＭ：００１０  ０１０１  １１１０  １００１・・・
従ってこのパターンを適当な長さにわたって最初に送信すれば、どの変調方式が選択されたかを移動機１００で知ることができる。むろんここで述べたパターンは種々のものが使用可能である。
【００１４】
（３）データ送信
送信側移動機１００の復調回路１４では、上記のようにして変調方式パターンを受信し変調方式を判定すると、その変調方式に対する復調動作により続く受信アドレスと送信アドレスを復調し、受信アドレスが自局あてのものであることを確認すると相手局アドレスとしての送信アドレスをアドレス管理回路へ出力する。そしてチェックパターンを復調し、誤り検出回路１５へ送る。誤り検出回路１５では入力されたチェックパターンの誤り率を調べ、その誤り率が所定値以下ならば変調方式パターン対応の変調方式を選択し、所定値以上ならば変調方式パターン対応のものより１つ遅いビットレートの変調方式（ＢＰＳＫのときはそのまま）を選択する。そしてこの選択した変調方式によりデータ送信を行う。但しこのデータ送信時の変調方式を受信側移動機２００の側へ知らせるために、データに先立って変調方式パターンを送信するものとする。また、送受アドレスを付加することも送信要求時と同様である。
このように、回線状態に応じて誤り率が規定値を越え、かつなるべく早いビットレートの変調方式でデータ伝送が行えるので、回線状態の変動の激しい無線回線を有効に利用することができる。なお、簡単のため、チェックパターンの送信、その誤り率に応じた変調方式の選択はなくした方法も可能である。
【００１５】
（４）送信完了通知
送信側移動機１００にて送信データがなくなった場合、引き続き送信完了通知をビットレートの一番遅い変調方式にて変調し出力する。このときも送受アドレスを付加することはいうまでもない。
【００１６】
（５）再送要求
受信側移動機２００は送信完了通知を認識後、誤り検出回路２５にて受信データの誤り検出を行い、受信側にて訂正不可能な誤りがあると、送信側に対してその文字（バイト）を再送要求する。これは、データ開始位置から何バイト目が必要かを知らせることであり、この情報が誤っていると送信手順が混乱する恐れがあるので、ビットレートが最小の変調方式を用いるものとする。
【００１７】
（６）データ再送
送信側移動機１００では、受信側からの再送希望内容に応じて、送信データ蓄積回路１１から必要なデータを受け取り、これを送信する。この時の変調方式は、前回にデータ送信を行ったときのビットレートより１つ遅いものを用い、データ再送が繰り返される回数を抑制するようにする。但しＢＰＳＫの場合はそのままの方式で繰り返す。
【００１８】
（７）完了通知応答
誤りのない受信データが入力できるまで上記（５）、（６）を実施した後、送信完了通知に対する応答を受信側より規定通信系の一番遅い変調方式にて変調し出力する。なお、（５）以降の各手順においても、送信、受信アドレスをもとに送信して相手の識別を行うことはいうまでもない。
【００１９】
以上、変調方式としてはＢＰＳＫ、ＱＰＳＫ、及び１６ＱＡＭ方式を例に説明したが、これは別の方式を用いても本発明を実現できることが明らかである。
【００２０】
【発明の効果】
本発明によれば、回線状態がよいときにはより多くの情報を送信でき、またデータ再送時には伝送速度を落とすことによって無駄な再送の繰り返しを抑止できるという効果がある。
【図面の簡単な説明】
【図１】本発明になる回線状態適応型通信方法を具備したシステムの構成例を示すブロック図である。
【図２】図１のシステムで用いる変調方式の説明図である。
【図３】図１のシステムにおけるデータ伝送手順を示す図である。
【図４】変調方式パターンの例を示す図である。
【図５】従来のデータ通信手順の例を示す図である。
【符号の説明】
１１、２１  送信データ蓄積回路
１２、２２  アドレス管理回路
１３、２３  変調回路
１４、２４  復調回路
１５、２５  誤り検出回路
１００  送信側移動機
２００  受信側移動機
【図１】
0003817367.tif 000002
【図２】
0003817367.tif 000003
【図３】
0003817367.tif 000004
【図４】
0003817367.tif 000005
【図５】
0003817367.tif 000006